(57)【特許請求の範囲】
【請求項１】
戸車によって吊り下げ支持され、且つ、自動的に閉じる自閉手段を有する引き戸であって、閉じ位置において、引き戸の戸面の縁部が、戸枠と対向するように配置された引き戸用の押圧装置であって、
前記戸枠は、前記引き戸の上縁部の両側にそれぞれ設けられた第１の上枠と、第２の上枠とを有し、
前記引き戸の上面に対し、この上面を含む面内で回転軸線を中心に回動可能に取付けられたてこ部材と、該てこ部材の力点が前記第１の上枠側に位置するように、前記てこ部材を回転方向に位置決めする付勢手段と、前記第１の上枠側に設けられ、前記引き戸が閉じる直前に前記てこ部材の力点に作用し、前記引き戸が閉じるにしたがって、前記付勢手段による付勢力に抗して前記力点に対して力を与えて押し戻す転向用部材と、前記第２の上枠側に設けられ、前記てこ部材が押し戻されるとき、前記作用点において力を受ける押圧用部材とを有し、前記回転軸線から、前記てこ部材の力点に働く力の方向に対して直角に延ばした第１のアームの長さは、前記回転軸線から、その作用点に働く力の方向に対して直角に延ばした第２のアームの長さより長い、ことを特徴とする引き戸用押圧装置。
【請求項２】
前記てこ部材は、前記力点及び前記作用点にそれぞれ、前記転向用部材及び前記押圧用部材に回動可能に当接するローラが設けられている、ことを特徴とする請求項１に記載の引き戸用押圧装置。
【請求項３】
前記てこ部材、前記転向用部材及び前記押圧用部材は、前記閉じ位置において、前記引き戸の戸先側と戸尻側の位置に対をなして設けられている、ことを特徴とする請求項１又は２に記載の引き戸用押圧装置。
【請求項４】
前記てこ部材及び前記押圧用部材が、閉じ位置において、前記引き戸の戸先側と戸尻側の位置に対をなして設けられ、前記てこ部材は、前記回転軸線から前記第１の戸枠に向かって延び、前記転向用部材による力が作用する長棹と、前記回転軸線から延び、前記押圧用部材に対して作用する短棹とを有し、前記長棹と前記短棹とで前記回転軸線を中心として前記引き戸の開き方向に向けて屈曲した形状をなす回転クランクレバー本体を有し、前記長棹又は前記短棹は、対をなすてこ部材が同期して運動するように、互いに連結部材によって連結されており、前記転向用部材が、前記対をなす回転クランクレバー本体の長棹の一方に当接するように設けられている、ことを特徴とする請求項１又は２に記載の引き戸押圧装置。
【請求項５】
前記てこ部材は、前記回転軸線から第１の戸枠に向かって延び、前記転向用部材による力が作用する長棹と、前記回転軸線から延び、前記押圧用部材に対して作用する短棹とを有し、前記長棹と前記短棹とで前記回転軸線を中心として引き戸の開き方向に向けて屈曲した形状をなす回転クランクレバー本体を有し、前記短棹に対して枢着され、且つ、前記短棹から引き戸の戸先側及び戸尻側に向かって延びる回転体支持部材と、該回転体支持部材の戸先側部分及び戸尻側部分にそれぞれ取付けられた回転体とを有し、該回転体が前記押圧用部材に当接する、ことを特徴とする請求項１〜４のいずれか１項に記載の引き戸用押圧装置。
【請求項６】
戸車によって吊り下げ支持され、且つ、自動的に閉じる自閉手段を有する引き戸であって、閉じ位置において、引き戸の戸面の縁部が、戸枠と対向するように配置された引き戸用の閉鎖装置であって、
前記引き戸の閉じ速度を減速するための調速手段と、上記請求項１〜５に記載の押圧装置とを有する、ことを特徴とする引き戸用の閉鎖装置。
【請求項７】
戸車によって吊り下げ支持され、且つ、自動的に閉じる自閉手段を有する引き戸であって、閉じ位置において、引き戸の戸面の縁部が、戸枠と対向するように配置された引き戸用の閉鎖装置であって、
上記請求項１〜５に記載の押圧装置を有する、ことを特徴とする引き戸用の閉鎖装置。
【請求項８】
全閉時に防火戸が当接する開口部３方の戸先側縦枠と、開口部上枠と、開口部戸尻側縦枠または全閉時に上記開口部３方に当接する防火戸部分のうちのいずれか一方側に弾性を有する遮煙部材が設けられて全閉時に遮煙構造が形成されている吊戸式防火戸において、
防火戸上部に回動自在でしかも支点で長短の差がつけられたクランクレバーを有する回動クランクレバー本体が設けられ、このクランクレバー両端には回転体が設けられ、開口部上枠側で上記クランクレバーと同一水平面位置には、防火戸を閉鎖することにより上記クランクレバー長棹側の回転体が当接する転向用ブラケットが設けられ、クランクレバー他端の回転体側の上枠にはクランクレバーが回動することによって当接し、更に、防火戸を開口部側に押さえ込むための押圧用ブラケットが設けられ、上記転向用ブラケットと上記回動クランクレバー本体と上記押圧用ブラケットとにより、全閉時に防火戸を開口部側に押圧して、遮煙構造を形成させる、ことを特徴とする防火引戸上部における防火戸押圧装置。
【発明の詳細な説明】
【技術分野】
【０００１】
本発明は、戸車によって吊り下げ支持され、且つ、自動的に閉じる自閉手段を有する引き戸に用いる押圧装置であって、より詳細には、例えば、引き戸式の防火戸を完全に閉鎖することができる押圧装置に関する。
【背景技術】
【０００２】
ビルには、火災時に類焼防止のため、出入り通路に引き戸式の防火戸が設けられている場合がある。防火戸には、戸を常時、開いた状態で係止し、緊急時のみ係止が解除されて閉鎖する常開式防火戸と、通常、閉じていて、通り抜けの際には、手動で開く常閉式防火戸とがある。いずれの防火戸においても、閉じる際には、戸が自動的に閉じる自閉手段が設けられている。
近年の火災は火による焼死よりもむしろ、煙により窒息死する率が高いため、防火戸は単に類焼阻止だけでなく、煙害事故防止機能も要求されている。そのため、従来のように、防火戸を単に閉めるだけでは充分ではなく、防火戸の周縁から煙が漏れないようにする必要がある。
【０００３】
遮煙するためには、防火戸を通路開口部の回りの戸枠に密着させることが好ましく、密着させる手段としては、従来から、例えば、実開昭５０−９３８６６号公報（特許文献１）及び特公平６−８４７０８号公報（特許文献２）に記載された、楔型部材及び誘導転子が広く用いられている。この楔型部材が防火戸に取付けられ、また、誘導転子が建物側に固定され、楔型部材が誘導転子に対して移動することによって、防火戸を反対側の戸枠に対して押付けるものである。
【０００４】
【特許文献１】実開昭５０−９３８６６号公報、図２、図３
【特許文献２】特公平６−８４７０８号公報、図２、図３、図７、図１０
【発明の開示】
【発明が解決しようとする課題】
【０００５】
上記特許文献１の楔型部材及び誘導転子を用いるやり方においては、誘導転子が楔型部材の傾斜面の途中で停止し、戸が開く方向に戻ってしまい、完全に閉じない場合がある。戸が防火戸である場合には、戸が完全に閉じないと、煙や火が流入してしまう。
また、このような傾斜面をもつ楔型部材を使用するものでは、傾斜角度の設定が難しく、傾斜角度を小さくすれば防火戸に対する押圧力が小さくなり、また、傾斜角度を大きくすれば、楔型部材と誘導転子が互いに当接した時点で停止し、防火戸が変位されないという不都合があり、更に、無理やり戸を閉じると、戸が戸枠に強く押付けられていて、開ける際に重くて簡単に開かないといった不都合が生じる。常開式の防火戸の場合、常時開いており、緊急時のみ閉鎖されるから不都合はないが、常閉式の防火戸の場合には、普段、人が通りぬけするたびに戸を自ら開かなければならず、戸の開け閉めが重いことは望ましくない。
【０００６】
そこで、本発明の目的は、戸の開け閉めを小さな力で行うことができる引き戸の押圧装置を提供することにある。
【課題を解決するための手段】
【０００７】
また、本発明の上記目的は、戸車によって吊り下げ支持され、且つ、自動的に閉じる自閉手段を有する引き戸であって、閉じ位置において、引き戸の戸面の縁部が、戸枠と対向するように配置された引き戸用の押圧装置であって、戸枠は、引き戸の上縁部の両側にそれぞれ設けられた第１の上枠と、第２の上枠とを有し、引き戸の上面に対し、この上面を含む面内で回転軸線を中心に回動可能に取付けられたてこ部材と、該てこ部材の力点が第１の上枠側に位置するように、てこ部材を回転方向に位置決めする付勢手段と、第１の上枠側に設けられ、引き戸が閉じる直前にてこ部材の力点に作用し、引き戸が閉じるにしたがって、付勢手段による付勢力に抗して力点に対して力を与えて押し戻す転向用部材と、第２の上枠側に設けられ、てこ部材が押し戻されるとき、作用点において力を受ける押圧用部材とを有し、回転軸線から、てこ部材の力点に働く力の方向に対して直角に延ばした第１のアームの長さは、回転軸線から、その作用点に働く力の方向に対して直角に延ばした第２のアームの長さより長い、ことを特徴とする引き戸用押圧装置によって達成することができる。
【０００８】
この押圧装置に係る発明においては、引き戸が閉じる直前に、てこ部材が力点において転向用ブラケットと係合し、引き戸が閉じるにしたがって、付勢手段による付勢力に抗して押し戻され、それによって、てこ部材の作用点が押圧用ブラケットに当接する。更に、てこ部材が回転することによって、てこ部材の倍力作用により、引き戸が戸枠の面に向かって押付けられる。また、引き戸を開ける場合には、てこ部材が転向用ブラケットから遠ざかるにしたがって、てこ部材は力点側が付勢手段によって引き戸の閉じ方向に向かって戻され、引き戸が戸枠の面から遠ざかり、引き戸を抵抗なく開けることができる。本発明においては、第１のアームが第２のアームより長いので、てこ作用により、小さな力で引き戸を開閉できると共に、大きな力で引き戸を戸枠の面に押付けることができる。
【０００９】
更に、本発明に係る引き戸用押圧装置の実施の形態においては、てこ部材は、力点及び作用点にそれぞれ、転向用部材及び押圧用部材に回動可能に当接するローラが設けられているので、力点及び作用点における摩擦を小さくすることができ、引き戸をより容易に開け閉めすることができる。
更に、本発明に係る引き戸用押圧装置の実施の形態においては、てこ部材、転向用部材及び押圧用部材は、閉じ位置において、引き戸の戸先側と戸尻側の位置に対をなして設けられているので、引き戸全体を戸枠に対してより良好に押圧することができる。
【００１０】
更に、本発明に係る引き戸用押圧装置の実施の形態においては、てこ部材及び押圧用部材が、閉じ位置において、引き戸の戸先側と戸尻側の位置に対をなして設けられ、てこ部材は、回転軸線から第１の戸枠に向かって延び、転向用部材による力が作用する長棹と、回転軸線から延び押圧用部材に対して作用する短棹とを有し、長棹と短棹とで回転軸線を中心として引き戸の開き方向に向けて屈曲した形状をなす回転クランクレバー本体を有し、長棹又は短棹は、対をなすてこ部材が同期して運動するように、互いに連結部材によって連結されており、転向用部材が、対をなす回転クランクレバー本体の長棹の一方に当接するように設けられている。
【００１１】
更に、本発明に係る引き戸用押圧装置においては、てこ部材は、回転軸線から第１の戸枠に向かって延び、転向用部材による力が作用する長棹と、回転軸線から延び押圧用部材に対して作用する短棹とを有し、長棹と短棹とで回転軸線を中心として引き戸の開き方向に向けて屈曲した形状をなす回転クランクレバー本体を有し、短棹に対して枢着され、且つ、短棹から引き戸の戸先側及び戸尻側に向かって延びる回転体支持部材と、該回転体支持部材の戸先側部分及び戸尻側部分にそれぞれ取付けられた回転体とを有し、該回転体が押圧用部材に当接する。
【００１２】
また、本発明の上記目的は、戸車によって吊り下げ支持され、且つ、自動的に閉じる自閉手段を有する引き戸であって、閉じ位置において、引き戸の戸面の縁部が、戸枠と対向するように配置された引き戸用の閉鎖装置であって、引き戸の閉じ速度を減速するための調速手段と、上記の押圧装置とを有する、ことを特徴とする引き戸用の閉鎖装置によっても達成することができる。この閉鎖装置によれば、引き戸を上記のように構成された押圧装置によって、小さな力で引き戸を開閉できると共に、大きな力で引き戸を戸枠に対して押圧することができる。
【００１３】
更に、本発明の上記目的は、戸車によって吊り下げ支持され、且つ、自動的に閉じる自閉手段を有する引き戸であって、閉じ位置において、引き戸の戸面の縁部が、戸枠と対向するように配置され、上記押圧装置を有する引き戸用の閉鎖装置によっても達成することができる。この閉鎖装置によれば、引き戸を上記のように構成された押圧装置によって、小さな力で引き戸を開閉できると共に、大きな力で引き戸を戸枠に対して押圧することができる。
【００１４】
また、本発明の上記目的は、全閉時に防火戸が当接する開口部３方の戸先側縦枠と、開口部上枠と、開口部戸尻側縦枠または全閉時に上記開口部３方に当接する防火戸部分のうちのいずれか一方側に弾性を有する遮煙部材が設けられて全閉時に遮煙構造が形成されている吊戸式防火戸において、防火戸上部に回動自在でしかも支点で長短の差がつけられたクランクレバーを有する回動クランクレバー本体が設けられ、このクランクレバー両端には回転体が設けられ、開口部上枠側で上記クランクレバーと同一水平面位置には、防火戸を閉鎖することにより上記クランクレバー長棹側の回転体が当接する転向用ブラケットが設けられ、クランクレバー他端の回転体側の上枠にはクランクレバーが回動することによって当接し、更に、防火戸を開口部側に押さえ込むための押圧用ブラケットが設けられ、上記転向用ブラケットと上記回動クランクレバー本体と上記押圧用ブラケットとにより、全閉時に防火戸を開口部側に押圧して、遮煙構造を形成させる、ことを特徴とする防火引戸上部における防火戸押圧装置によっても達成することができる。
【発明の効果】
【００１５】
本発明に係る引き戸用押圧装置によれば、戸の開け閉めを小さな力で行うことができる。すなわち、本発明に係る引き戸用の押圧装置は、てこの原理により、小さな力で閉鎖でき、それによって、大きな力で引き戸を押圧することができるため、確実に引き戸を戸枠に対して押圧して隙間を塞ぎ、煙等の流入を防止することができる密封効果を高めることができる。また、開く時も同様に、てこの原理により軽く開くことができるため、常閉式の防火戸であっても、従来の防火戸と比較して軽く開け閉めを行うことができる。
【発明を実施するための最良の形態】
【００１６】
以下、発明に係る実施の形態を図面を参照して説明する。尚、本発明に係る引き戸用の閉鎖装置及び押圧装置は、いかなる用途の引き戸にも適用することができるが、以下の実施の形態では、引き戸が常閉式の防火戸である場合について説明する。
図１は、本発明の実施形態に係る防火戸用の閉鎖装置を取付けた防火戸及び建物への取付け部分を示す全体図であり、防火戸が完全に開いた状態を示す。また、図２は、図１に示す防火戸の上部を示す斜視図であり、図３は、図２に示すIII−IIIに沿った矢視図であり、更に、図４は、図２に示すIV−IVに沿った矢視図である。
【００１７】
図１〜図４を参照しつつ、本実施形態に係る防火戸用の閉鎖装置１の構成を説明する。
図１〜図４に示すように、建物側には、人が通る開口部２の回りに戸枠４が設けられており、戸枠４の上方には、防火戸が閉じる方向（図１に矢印で示す）に向かって下方に傾斜したレール６が設けられている。戸枠４は、防火戸が完全に閉じた状態において、防火戸１６の戸先部分が対向する戸先側縦枠８と、防火戸１６の戸尻部分が対向する戸尻側縦枠１０と、防火戸１６の上部を挟んで両側に設けられた第１の上枠１２と、第２の上枠１４とを有する。尚、図１においては、第２の上枠１４だけが表されている。戸先側縦枠８は、防火戸１６が閉じた閉じ位置において、防火戸１６の戸先部分が、Ｃ字形の戸先側縦枠８の中に受入れられるように、横断面が防火戸１６に向かって開放するＣ字形をなしている（図５に示す）。防火戸１６が完全に閉じた閉じ位置において、防火戸１６の戸面の周縁部が、戸枠４と対向する。戸枠４の面、より詳細には、戸先側縦枠８、戸尻側縦枠１０及び、第１の上枠１２の防火戸１６と対向する面には、押圧装置１８によって防火戸１６が戸枠４に対して押付けられたとき、これらの間をより確実に密封するため、密封材２０が設けられている。この密封材２０は、例えば、ゴムやフォーム等の弾性部材で形成されているのが望ましい。
【００１８】
また、図１に示すように、本実施形態においては、防火戸１６には、全幅にわたって、防火戸１６の下縁から床に向かってスカート状に垂下する遮蔽材２２が取付けられている。遮蔽材２２は、防火戸１６が完全に閉じた位置において、防火戸１６と床との間の隙間を遮蔽する。遮蔽材２２は、好ましくは、弾性部材で形成され、閉じ位置において、床に対して押付けられるようにすれば、より高い遮煙効果が得られる。
本実施形態に係る防火戸１６は、上部に、レール６に沿って回転する一対の戸車２４を有し、戸車２４によってレール６上に吊り下げ支持されている。本実施形態においては、レール６が閉じ方向に向かって下方に傾斜しており、防火戸１６が自重によって自動的に閉じるようになっており、レール６を下方に斜めにすることによって、防火戸１６の自閉手段が構成されている。
【００１９】
図３及び図４を参照しつつ、戸車２４の取付け構造について説明する。
図３及び図４に示すように、戸車２４を上に載置して支持するレール６を有し、このレール６に対して横方向の断面において戸車２４がレール６上に１つだけ設けられており、戸車２４が、レール６上で、レール６との係合点を中心として揺動可能に支持されており、また、戸車２４の取付け具２６と、引き戸１６への取付け具２８とは、引き戸１６の戸面の方向に延びる枢軸０を介して回転可能に互いに連結されている。
図３及び図４を見て分かるように、戸車２４の周囲には溝が形成されており、レール６がこの溝内に受け入れられて支持されている。
図２に詳細に示すように、本実施形態に係る防火戸用の閉鎖装置１は、防火戸１６の閉じ速度を調節するための調速装置３０と、防火戸１６の縁部を、閉じ位置において、戸枠４に対して押付けるための押圧装置１８とを有する。
【００２０】
図５は、本実施形態に係る防火戸用の閉鎖装置の押圧装置を示す平面図であり、防火戸が閉じる直前の位置にある状態を示す。また、図６は、図２に示すVI−VIに沿った矢視図、図７は、図５に示す押圧装置において、防火戸が閉じ位置にあるときの状態を示す図である。
図５及び図６を参照しつつ、まず、本実施形態に係る押圧装置１８について説明する。
押圧装置１８には、防火戸１６上面に回動自在でしかも支点で長短のレバー長さに差がつけられた回動クランクレバー本体３１が設けられ、この回動クランクレバー本体３１のクランクレバー３２の両端には回転体３８、４０が設けられ、更にクランクレバー３２に付勢手段としての引張りバネ４２が設けられてクランクレバー３２が初期位置規制され、一方、開口部上枠１２側でクランクレバー３２と同一水平面位置の取付面には防火戸を閉鎖することにより上記クランクレバー長棹側の回転体３８が当接する転向用ブラケット４４が設けられ、クランクレバー他端の回転体４０側の上枠１４にはクランクレバー３２が回動することによって当接し防火戸１６を開口部側に押さえ込むための押圧用ブラケット４６が設けられ転向用ブラケット４４と回動クランクレバー本体３１と押圧用ブラケット４６とにより全閉時に防火戸１６を開口部側に押圧して遮煙構造を形成させる押圧装置１８である。
【００２１】
より詳細に押圧装置１８について説明すると、押圧装置１８は、倍力作用を奏する回転クランクレバー本体３１を有する。回転クランクレバー本体３１は、防火戸１６の上面に対し、この上面を含む面内で回転軸線Ｏ'を中心に回動可能に取付けられた、てこ部材としてのクランクレバー３２を有する。また、押圧装置１８は、更に、回動クランクレバー本体３１の力点側が第１の上枠１２側に位置するように、回転クランクレバー本体３１を回転方向に位置決めする付勢手段としての引張りばね４２と、第１の上枠１２側に取付けられ、引き戸１６が閉じる直前に、回転クランクレバー本体３１の力点に作用し、引き戸１６が閉じるにしたがって、弾性部材４２による付勢力に抗して力点Ｐ１において弾性部材４２を押し戻す、転向用部材としての転向用ブラケット４４と、第２の上枠に設けられ、クランクレバー３２の長棹３７が押し戻されるとき、作用点Ｐ２においてクランクレバー３２の短棹３９により力を受ける、押圧用部材としての押圧用ブラケット４６とを有する。
【００２２】
また、回転クランクレバー本体３１のクランクレバー３２は全体として、回転軸線Ｏ'を中心として、防火戸１６の開き方向に向けて屈曲した形状をなすように形成された長棹３７と短棹３９とにより構成され、クランクレバー３２は全体的にくの字形をなしている。これら長棹３７と短棹３９との間の角度であるクランク角度α（図５参照）は、９０°から１８０°までの範囲のいずれかの角度である。長棹３７及び短棹３９のそれぞれの先端部には、転向用ブラケット４４及び押圧用ブラケット４６上で移動する際の摩擦を最小にするため、回転体３８、４０が取付けられている。
回転クランクレバー本体３１が当接する転向用ブラケット４４の面は、防火戸１６に対して横方向に延びており、また、回転クランクレバー本体３１が当接する押圧用ブラケット４６の面は、防火戸１６の開閉方向に延びている。
【００２３】
更に、押圧装置１８は、上記引張りばね４２によって、クランクレバー３２の長棹３７が、第１の上枠１２側且つ閉じ方向（図５に矢印で示す）に向けて傾斜する位置（初期位置）に位置決めされるように、回転クランクレバー本体３１が付勢されている。また、転向用ブラケット４４は、第１の上枠１２に、又は、第１の上枠１２側の建物壁面に対して、防火戸１６が完全に閉じる直前に長棹３７が当接する位置に取付けられている。また、押圧用ブラケット４６は、第２の上枠１４に設けられている。
回転クランクレバー本体３１の力点Ｐ１に働く力の方向に対して、回転軸線Ｏ'から延ばす垂線である第１のアーム３４（図７参照）は、その作用点Ｐ２に働く力の方向に対して回転軸線Ｏ'から延ばす垂線である第２のアーム３６（図７参照）より長くされている。
すなわち、転向用部材４４における反力をＦ１、押圧用部材４６における反力をＦ２、第１のアーム３４の長さをＬ１、第２のアームの長さをＬ２とすると、これらの力によるモーメントの関係は以下の式で表すことができる。
Ｆ１×Ｌ１＝Ｆ２×Ｌ２
従って、小さな開閉力Ｆ１で大きな押付け力Ｆ２を得るには、Ｌ１をＬ２よりできるだけ大きくするのが好ましい。
【００２４】
次に、本実施形態に係る閉鎖装置の調速装置３０について説明する。
図８は、図１に示す調速装置のVIII− VIII に沿った矢視部分断面図である。
調速装置３０は、図１及び図２に示すように、一方の戸車２４にだけに設けられている。図８を参照しつつ、調速装置３０の構造について説明する。戸車２４の戸車軸４８は、取付けブラケット２６に対して、ベアリング５０を介して取付けられている。戸車２４は戸車軸４８の一端部に取付けられている。調速装置３０は、戸車軸４８の他端側に、戸車２４の取付けブラケット２６に対して取付けられている。調速装置３０は、戸車軸４８の他端部に、一方向運動伝達手段としてのワンウエイベアリング５２を介して取付けられた大径プーリ５４と、大径プーリ５４に隣接して設けられた発電機５６とを有する。発電機５６の回転軸５８は、戸車軸４８に平行に配置されている。調速装置３０は、更に、発電機５６の回転軸５８に取付けられた、大径プーリ５４より径の小さい小径プーリ６０と、小径プーリ６０と大径プーリ５４とを互いに連結する無端ベルト５５とを有する。小径プーリ６０と大径プーリ５４とで増速手段が構成されている。ワンウエイベアリング５２によって、防火戸１６が閉じ位置から開き位置に向かって移動するとき、戸車２４がレール６に沿って回転することによる戸車軸４８の回転が、大径プーリ５４には伝達されないが、防火戸１６が開き位置から閉じ位置に向かって移動するときには、戸車軸４８の回転が大径プーリ５４に伝達される。すなわち、戸車軸４８の回転は、防火戸１６が閉運動するときだけ、発電機５６の回転軸に伝達される。また、発電機５６の出力電線には、可変抵抗器６２が接続されている。
【００２５】
図９は、調速装置３０の回路図である。
調速装置３０は、防火戸１６の閉じ速度を、戸先が開き位置から閉じ位置より少し手前（図１にｄ１で示す）の所定位置Ｐに達するまで、自閉手段による閉じ速度より遅い第１の速度に減速し、また、所定位置Ｐから閉じ位置までは、第１の速度より速い第２の速度に増速する。図９を参照しつつ、本実施形態にかかる調速装置３０の回路について説明すると、調速装置３０は、発電機５６と、発電機５６の出力に設けられた第１の可変抵抗６４と、それに対して並列に接続された第２の可変抵抗６６と、第１の可変抵抗６４と第２の可変抵抗６６との間で切替えるための切替スイッチ６８及び７０と、建物側に設けられたスイッチ切替部７２（図１に示す）とを有する。このスイッチ切替部７２は、防火戸１６の閉じ位置手前（開方向）に所定距離ｄ２のところに設けられている。この所定距離ｄ２は、防火戸１６の戸先が所定位置Ｐにあるとき、切替スイッチ６８及び７０をスイッチ切替部７２によって作動させることができるように決定される。防火戸１６が開閉方向において、スイッチ切替部７２に対して開方向に位置するときは、切替スイッチ６８及び７０によって、第１の可変抵抗６４に電流が流れており、防火戸１６が開閉する際にスイッチ切替部７２を通過するたびに、切替スイッチ６８及び７０が切り替わり、抵抗値が切替えられる。
【００２６】
図５及び図７を参照しつつ、本実施形態に係る閉鎖装置１の押圧装置１８の作動を説明する。
押圧装置の動作を説明すると、当初防火戸１６が閉じ始める、とすなわち図２、図５においては防火戸１６が左から右に動いてゆくと、図５に示す防火戸１６の位置までは、防火戸上面のクランクレバー３２は引張りバネ４２により初期位置規制されて所定位置（図５に実線で表した位置）を保ちながら、閉じてゆく。また、図５に示す全閉直前の位置に到達すると、クランクレバー３２の長棹側の回転体３８が転向用ブラケット４４に当接して以後クランクレバー３２は回動し、それに伴ってクランクレバー３２の短棹側の回転体４０が押圧用ブラケット４６に当接し、以後、次第に防火戸１６を押圧してゆく。全閉時には防火戸１６は所定距離押圧されて、開口部３方に設けられた遮煙部材を押圧して開口部を完全に遮煙することになる。
【００２７】
押圧装置１８の動作を更に詳細に説明すると、防火戸１６を閉じ方向（図５及び図７において左から右）に移動させる。防火戸１６がの閉じ位置までは、クランクレバー３２は、引張りばね４２によって閉じ方向に向けて付勢され、図５に示す初期位置に位置決めされている。防火戸１６の戸先が閉じ位置に到達する直前（図５に示す位置）に、長棹３７の先端に設けられた回転体３８が転向用ブラケット４４の面に係合する。防火戸１６が更に閉じ方向に移動すると、回転クランクレバー本体３１は転向用ブラケット４４によって、ばね４２による付勢力に抗して、回転軸線Ｏ'を中心に防火戸１６の開き方向に向けて押し戻される。すなわち、図７に示す本実施形態においては、反時計方向に回転する。この過程で、短棹３９の先端に設けられた回転体４０が押圧用ブラケット４６に当接する。押圧用ブラケット４６が短棹３９によって与えられる力を受けるが、押圧用ブラケット４６は、第２の上枠１４に固定されているから、クランクレバー３２の回転中、短棹３９の先端の回転体４０が押付けられることによって、防火戸１６が、押圧用ブラケット４６とは反対側、すなわち、第１の上枠１２側に向けて移動され、図７に示すように、防火戸１６が完全に閉じた閉じ位置においては、防火戸１６が戸枠４に対して押圧される。本実施の形態においては、防火戸１６が、戸先側戸枠８、戸尻側戸枠１０及び第１の上枠１２に対して押し付けられる。防火戸１６と戸枠４との間には、密封材２０が設けられているので、これらの間の密閉状態がより一層確保される。
【００２８】
尚、図５に示すから、図７に示す位置に移動する間、回転体３８、４０が転向用ブラケット４４及び押圧用ブラケット４６の面上で回転しながら移動する。すなわち、防火戸１６が戸枠４に向かって移動するのに伴って、回転クランクレバー本体３１の回転体３８は、防火戸１６に対して横方向に真っ直ぐに延びる、転向用ブラケット４４の面に沿って移動する。また、回転クランクレバー本体３１の回転体４０は、回転クランクレバー本体３１の回転に伴って、防火戸１６の開閉方向に延びる、押圧用ブラケット４４の面に沿って移動する。防火戸１６の閉じ位置に到達したとき（図７に示す位置）、押圧装置１８によって、防火戸１６が戸枠４に対して強く押付けられて、防火戸１６は戸枠４との間の摩擦力で開き方向には移動できなくなり、回転クランクレバー本体３１は図７に示す位置で停止する。
【００２９】
ここで、図３及び図４を参照しつつ、防火戸１６が押圧装置１８によって戸枠４に対して押圧される際に、防火戸１６の動きについて説明する。押圧装置１８によって防火戸１６が戸枠４に対して押されると、戸車２４用の取付けブラケット２６が、レール６との係合部を中心として回転する（図３及び図４においては時計方向）。戸車２４用の取付けブラケット２６は、防火戸１６用の取付けブラケット２８に対して、回転軸線Ｏで回動自在に連結されているから、防火戸１６は、垂直に垂下されたまま、戸枠４に向かって移動する。
次に、防火戸１６を開ける場合について説明すると、防火戸１６の移動に伴って、クランクレバー３２が引張りばね４２によって、閉じ方向に初期位置まで戻され、その間、短棹３９の先端の回転体４０も押圧用ブラケット４６から離れ、防火戸１６が戸枠４から離間する。
【００３０】
次に、図８及び図９を参照しつつ、調速装置３０の作動について説明する。
始め、可変抵抗器６２の調節調節ダイヤル６９及び７１によって、第１の可変抵抗６４と第２の可変抵抗６６のそれぞれの抵抗値を調節して、第１の速度と第２の速度が所望の速度になるように設定する。なお、第２の速度が第１の速度より速くなるように、第２の可変抵抗６６の第２の抵抗値は、第１の可変抵抗６４の第１の抵抗値より大きくなるように設定する。
【００３１】
防火戸１６を手で図１に示す開き位置まで開く。このとき戸車２４は回転するが、ワンウエイベアリング５２によって、戸車軸４８の回転は、大径プーリ５４、無端ベルト５５及び小径プーリ６０を介して発電機５６の回転軸５８に伝達されない。従って、発電機５６は作動しない。次に、防火戸１６から手を放すと、防火戸１６が自重によって、レール６に沿って閉じ位置に向かって移動しはじめる。これにより、戸車２４が回転し、ワンウエイベアリング５２を介して、戸車軸４８の回転は、大径プーリ５４、無端ベルト５５及び小径プーリ６０を介して発電機５６の回転軸５８に増速されて伝達され、発電機５６が作動する。磁界内において発電機５６の回転軸５８が回転すると、電機子に電流が流れ、可変抵抗によって電圧が高くなり、発電機５６に負荷がかかり、回転軸５８に対する制動力が生じる。その制動力が、小径プーリ６０から無端ベルト５５を介して大径プーリ５４へ、更には、戸車軸４８に順次伝達され、戸車２４の回転に制動力がかかる。防火戸１６は傾斜するレール６に沿って加速して走行しようとするが、この制動力によって戸車２４の回転が制動され、防火戸１６の閉じ速度が減速される。
【００３２】
次に、回路について説明すると、初期位置においては、第１の可変抵抗６４が、切替スイッチ６８によって導通されている。防火戸１６が、戸車２４が傾斜したレール６に沿って回動して閉じ始め、第１の可変抵抗６４によって減速された第１の閉じ速度で走行する。防火戸１６が開き位置から閉じ位置に向かって走行し、戸先が上記の所定位置Ｐに到達したところで、第１の可変抵抗６４側の切替スイッチ６８がスイッチ切替部７２によってＯＦＦになり、第２の可変抵抗６６側の切替スイッチ７０がＯＮになって、第１の可変抵抗６４が無効になり、第２の可変抵抗６６が有効になる。これにより、発電機５６に対して、より大きな電流が要求されて回転軸５８の回転の制動が軽減され、防火戸１６は、第１の閉じ速度より速い第２の閉じ速度に増速されて、閉じ位置まで走行する。
【００３３】
引き続き、防火戸１６を開く際は、防火戸１６の戸先が、上記の所定位置Ｐに到達したところで、第２の可変抵抗６６側の切替スイッチ７０がスイッチ切替部７２によってＯＦＦになり、第１の可変抵抗６４側の切替スイッチ６８がＯＮになって、第２の可変抵抗６６が無効になり、第１の可変抵抗６４が有効になり、調速装置３０がリセットされる。防火戸１６が開く間は、既に説明した通り、戸車２４は回転するが、ワンウエイベアリング５２によって、戸車軸４８の回転は、大径プーリ５４、小径プーリ６０を介して発電機５６の回転軸５８に伝達されない。従って、発電機５６は作動しない。
【００３４】
図１０は、本実施形態に係る押圧装置の第１変形例を、図１１は第２変形例を、図１２は第４変形例を、図１３は第４変形例を示す。
図１０〜図１３を参照しつつ、本実施形態の閉鎖装置の押圧装置に関する、第１変形例〜第３変形例について説明する。図１０に示す第１変形例においては、本実施形態に係る押圧装置１８と同じ構造のクランクレバー等を一対、防火戸１６の閉じ方向に対して戸先側と戸尻側に設けている。具体的に説明すると、クランクレバー８０は、防火戸１６の上面の戸先側と戸尻側にそれぞれ１つづつ取付けられている。それと共に、転向用ブラケット８２と押圧用ブラケット８４も、これらのクランクレバー８０と対応する位置に、本実施形態と同様に第１の上枠１２と第２の上枠１４の上面に対して取付けられている。この場合、戸尻と戸先の押圧装置は全く重なるので、縦断面図は図６と同様となる。
【００３５】
以上は、同じものを一対設けた場合について説明したが、取付位置によっては同じものを一対設けられない場合がある。すなわち、防火戸１６の全開時に、戸先側に取付けられたクランクレバー８０が、戸尻側の転向用ブラケット８２に衝突する場合は、戸先側に取付けられたクランクレバー８０の支柱の高さを高くして衝突を回避させ、それに伴って、戸先側の転向用ブラケット８２の取付位置と押圧用ブラケット８４の高さを変更すればよい。この場合の縦断面図は図１１のようになる。各クランクレバー８０等の動作は、本実施形態の押圧装置１８と同様である。尚、押圧用ブラケット８４の高さをあらかじめ支柱を高くした回動クランクレバー用に設定しておけば、共通標準品として同じ部品の使用が可能である。
【００３６】
図１２に示す第３変形例に係る押圧装置においては、第１変形例を応用したもので、防火戸１６の上面の戸先側と戸尻側とにそれぞれ、クランクレバー８６を取付け、これらのクランクレバー８６が連動するように、これらの長棹を互いに、回動自在な連結板８８によって連結している。全閉時に上記クランクレバー８６の長棹側の回転体８７が当接する転向用ブラケット９０は、いずれか一方のクランクレバー８６に対応して、１個だけ設けられている。押圧用ブラケット９２は２つのクランクレバー８６のそれぞれに対応して２個設けるか、或いは、両方が係合できる長いブラケットを設ける。第３の変形例においては、転向用ブラケット９０が１つだけ設けられているので、第１変形例における干渉の問題はなく、これは防火戸１６の上面のどの位置に取付けしても問題はない。第３の変形例に係る押圧装置の動作について簡単に説明すると、転向用ブラケット９０が設けられている側のクランクレバー８６の長棹３７の回転体８７が、転向用ブラケット９０に当接すると、この動きが回動自在な連結板８８によって、もう一方のクランクレバー８６に伝達されて同様に動き、両クランクレバー８６の短棹に設けられた回転体８９のそれぞれが押圧用ブラケット９２に係合し、防火戸１６が戸枠４に対して押圧される。
【００３７】
更に、図１３に示す、第４変形例に係る押圧装置について説明する。第４変形例に係る押圧装置においては、クランクレバー９４が防火戸１６の上面の中央部に１個だけ設けられている。図５に示す押圧装置において、クランクレバー９４のうち短棹側に設けられた回転体４０の代わりに、回転体９８の回転軸の中心位置に、回転体支持部材としての押圧板９６が回動自在に設けられており、押圧板９６の両端にそれぞれ回転体９８が設けられている。より詳細には、押圧板９６は、短棹に対して取付けられた枢軸から、防火戸１６の閉じ方向及び開き方向に延びており、その先端部のそれぞれに回転体９８が回動自在に取付けられている。第１の上枠１２の所定位置に転向用ブラケット１００が、また、第２の上枠１４の所定位置に上記２つの回転体と係合する押圧用ブラケット１０２が設けられている。クランクレバー９４に設けられた押圧板９６の両端の回転体９８が２個とも押圧用ブラケット１０２に当接して防火戸押圧動作が行われる。転向用ブラケット１００とクランクレバー９４と押圧用ブラケット１０２とにより、全閉時に防火戸１６を開口部２側に押圧して遮煙する。
【００３８】
図１４〜図１６は、本実施形態に係る閉鎖装置の押圧装置に関する別の実施例を示す。このうち、図１４は、防火戸の上部を表した図２と同様な図であり、また、図１５及び図１６は、別の実施例に係る押圧装置の平面図である。
図１４〜図１６に示す押圧装置１０４は、防火戸１６に取付けられた押圧ガイド１０６と、第２の上枠１４に取付けられ、押圧ガイド１０６と係合する押圧ローラ１０８とを有する。押圧ガイド１０６は、押圧ローラ１０８に向かって突出しており、防火戸１６の戸先側から戸尻側に向かって延びる押圧ローラ１０８との係合面１０９を有する。この係合面１０９は、防火戸１６の戸先側から戸尻側に向かって、徐々に押圧ローラ１０８に向かって傾斜する傾斜面と、それに連設して形成された、開閉方向と平行に延びる平行面とを有する。より具体的には、押圧ガイド１０６は、金属製の板状部材で形成されており、板状部材を、戸先側部分では、防火戸１６の戸先側から戸尻側に向かって押圧ローラ１０８に向かって傾斜させ、戸尻部分では、開閉方向と平行に延びるように屈曲して形成されている。
【００３９】
図１５及び図１６を参照しつつ、動作について説明する。図１５に示すように、防火戸１６の全閉位置の直前、より具体的には、防火戸１６の戸先部分が閉じ位置に到達する直前において、押圧ローラ１０８が押圧ガイド１０６の傾斜面と係合する。防火戸１６が閉じ位置に向けて更に移動する（図１５に矢印で示す）にしたがって、押圧ローラ１０８に対して、押圧ガイド１０６が移動し、押圧ガイド１０６の傾斜面から平行面にわたって押圧ローラ１０８に係合しながら移動する。それによって、防火戸１６が第２の戸枠４側から遠ざけられる。防火戸１６が完全な閉じ位置に到達すると、図１６に示すように、押圧ローラ１０８が押圧ガイド１０６の平行面に係合し、防火戸１６が戸枠４の面に対して確りと押圧される。
以上の本実施形態に係る閉鎖装置においては、防火戸１６が閉じ位置の直前に到達し、押圧装置１８が作動し始め、完全に閉じるまでの間、押圧装置１８によって防火戸１６に対し移動抵抗が生じるが、調速装置３０によって、所定位置Ｐから閉じ位置までは増速された速度で閉じるので、閉じる勢いで移動抵抗に打ち勝って防火戸１６が完全に閉じる。従って、完全に閉じた状態に押圧装置１８が働くから、防火戸１６と戸枠４との間を完全に遮断することができる。
【００４０】
本発明は、以上の実施の形態に限定されることなく、特許請求の範囲に記載された発明の範囲内で種々の変更が可能であり、それらも本発明の範囲内に包含されるものであることはいうまでもない。
例えば、上記実施形態は、閉鎖装置１を引き戸式の防火戸１６に適用した場合について説明したが、防火戸に限らず、他の用途用の引き戸に適用してもよい。
【００４１】
また、上記実施形態においては、片引き戸に閉鎖装置１を適用した場合を説明したが、両引分戸についても同様に適用することができる。両引分戸の場合は、両者の召し合わせ部に密封材を取付けたり、一方の引き戸の戸先部分の横断面形状をＣ字形とし、他方の引き戸の戸先部分を受け入れるようにする等の遮煙構造にすればよい。押圧装置１８は、例えば、召し合わせ部を中心として対称的に、両方の防火戸上面に押圧装置１８を装着すれば、両防火戸を一体的に戸枠４に対して押付けることができ、戸枠４との間の隙間をなくすことができる。
【００４２】
更に、上記実施形態は、常閉式の防火戸１６に適用した場合について説明したが、上記の閉鎖装置１を、防火戸１６を開いた位置で係止手段によって留めておき、火事が生じた時に係止手段を解除して閉じる常開式の防火戸に適用してもよい。
また、上記実施形態においては、戸枠４に沿って密封材２０が取付けられており、遮煙効果が高い構造となっているが、戸枠４と防火戸１６とが充分に密着していれば、必ずしも、密封材２０が設けられていなくてもよい。
更に、防火戸１６は、戸面の４辺の周縁部全体が、戸枠４に対して対向している必要はなく、押圧装置１８によって押付けられる際、通路開口部２が閉じられれば、一部分が戸枠４の他、壁等に対して押付けられるようにしてもよい。また、上記実施形態の防火戸１６の下縁部のように、対向する面がない場合には、隙間を遮煙ゴム等の他の部材で閉じてもよい。
【００４３】
更に、上記実施形態においては、戸先側戸枠８は、横断面がＣ字形の部材で構成され、防火戸１６の戸先部分が中に受け入れられるようになっており、煙や火の流入をより確実にすることができる点で利点がある。しかし、戸先側戸枠８は、防火戸１６の閉じ位置において、戸面の周縁部が対向し、押付けることによって密封することができる面をもつものであれば、いかなる形状であってもよく、例えば、Ｌ字形、その他の形状であってもよい。
また、上記実施形態においては、防火戸１６の自閉手段は、閉じ位置に向けて下方に傾斜するレール６に防火戸１６を吊り下げ支持し、自重によって閉じるようにして構成しているが、自閉手段は、防火戸１６を閉じ位置に移動させるいかなる手段であってもよく、例えば、防火戸１６に連結され、防火戸１６に対して閉じ方向に力を与えるダンパ、巻きばね、ウエイト等であってもよい。
【００４４】
更に、防火戸１６の開閉の容易さの観点から、押圧手段１８は、図１〜図１３に示すクランクレバー式のものであるのが望ましい。しかし、防火戸１６を、所定位置Ｐまで減速し、所定位置Ｐから閉じ位置まで増速する調速装置を適用する場合には、押圧装置１８は、クランクレバー式のもの以外に、図１４から図１６に示す押圧ガイド１０６及び押圧ローラ１０８を用いるものや、その他の押圧装置を適用してもよい。
更に、上記実施形態においては、発電機５６を用いた調速装置３０を採用しているが、調速装置は、防火戸１６を開位置から所定位置までは減速することができ、また、所定位置から閉じ位置に向けて増速することができるいかなる調速装置であってもよい。例えば、調速装置を、防火戸１６に取付けられ且つモータによって回転されるピニオンと、防火戸の移動経路に沿って設けられたラックとで構成し、モータの回転速度を制御することによって、閉じ速度を調速するようにしてもよい。
【００４５】
更に、上記実施形態に係る調速装置３０においては、防火戸１６の閉じ位置に対して手前の所定位置Ｐに、レール６の近傍に設けられたスイッチ切替部７２によって、抵抗値をより大きな抵抗値に切り替えることによって、所定位置Ｐからは増速するようにしている。所定位置Ｐにおける増速は、例えば、調速装置３０の回路にＯＮ／ＯＦＦスイッチを設け（図１７参照）、閉じ位置に対して手前の所定位置Ｐに、ＯＮ／ＯＦＦスイッチ用のスイッチ切替部を設け、防火戸が閉じる際、所定位置Ｐで調速装置をＯＦＦとし、所定位置Ｐから閉じ位置までは、調速装置３０が作動しないようにして増速する、すなわち、自閉手段による本来の閉じ速度で、閉じるようにしてもよい。
また、調速装置３０による上記所定位置Ｐまでの減速は、開位置から上記所定位置Ｐまで、複数の異なる速度に段階的に減速してもよく、また、所定位置Ｐから閉じ位置までの増速も段階的に行ってもよい。
【００４６】
更に、押圧装置１８において、クランクレバー３２の回転体３８、４０は、転向用ブラケット４４と押圧用ブラケット４６との間の摩擦を小さくすることができれば、必ずしも設けられていなくてもよく、例えば、図１８に示すように、クランクレバー６６の長棹６７及び短棹６５の先端を丸い形状にしたり、また、これらの先端部にテフロン（登録商標）等の摺動容易な部材を取付けてもよい。
更に、上記押圧装置１８は、長棹３７及び短棹３９とがくの字形をなすクランクレバー３２以外のてこ部材であってもよく、てこ部材の力点に働く力の方向に対して回転軸線から延ばす垂線である第１のアームが、その作用点に働く力の方向に対して回転軸線から延ばす垂線である第２のアームより長い、いかなる形状のてこ部材であってもよい。
更に、上記回転クランクレバー本体３２を初期位置に位置決めする引張りばね４２は、いかなる弾性部材であってもよく、例えば、圧縮ばね、ゴム等であってもよい。
【００４７】
また、上記実施形態においては、図３及び図４に示すように、戸車２４を上に載置して支持するレール６を有し、このレール６に対して横方向の断面において戸車２４がレール６上に１つだけ設けられており、戸車２４が、レール６上で、レール６との係合点を中心として揺動可能に支持されており、また、戸車２４の取付け具２６と、引き戸１６への取付け具２８とは、引き戸１６の戸面の方向に延びる枢軸０を介して回転可能に互いに連結されている。従って、押圧装置１８によって戸枠４に対して横方向に押されると、レール６に対して横方向の断面において、戸車２４がレール６との係合点を中心として斜めに傾斜し、また、それによって斜めに傾斜した戸車２４の取付け具と引き戸１６への取付け具２８とは互いに回動し、引き戸１６が取付け具２８から垂下した状態を維持したまま、引き戸１６は押圧装置１８によって戸枠４に対して押圧される。従って、引き戸１６と戸枠４との間に隙間のない状態で押圧することができる。一方、図１９に示すように、レール１１０に対して横方向の断面において、戸車１１２がレール１１０に対して斜めになることができない構造であっても、戸車１１２の取付け具１１４と、引き戸１６への取付け具１１６と、これらの間に配置され、且つ、戸車の取付け具と引き戸への取付け具のそれぞれに対して、引き戸の戸面の方向に延びる枢軸Ｏ”を介して回転可能に互いに連結された中間部材８８とで、戸車１１２と引き戸１６とを互いに連結すればよい。これによって、引き戸１６が押圧装置１８によって戸枠４に対して横方向に押されるとき、戸車１１２は垂直状態に保たれたままで、中間部材９２が２つの枢軸Ｏ”を中心として斜めになり、また、引き戸１６は垂下した状態で押圧装置１８によって戸枠４に対して押圧される。従って、引き戸１６と戸枠４との間に隙間のない状態で押圧することができる。
【図面の簡単な説明】
【００４８】
【図１】本発明の実施形態に係る防火戸用の閉鎖装置を取付けた防火戸及び建物への取付け部分を示す全体図であり、防火戸が完全に開いた状態を示す。
【図２】図１に示す防火戸の上部を示す斜視図である。
【図３】図２に示すIII−IIIに沿った矢視図である。
【図４】図２に示すIV−IVに沿った矢視図である。
【図５】本実施形態に係る防火戸用の閉鎖装置の押圧装置を示す平面図である。
【図６】図２に示すVI−VIに沿った矢視図である。
【図７】図５に示す押圧装置において、防火戸が閉じ位置にあるときの状態を示す図である。
【図８】図１に示す調速装置のVIII− VIII に沿った矢視部分断面図である。
【図９】調速装置の回路図である。
【図１０】本実施形態に係る押圧装置の第１変形例を示す。
【図１１】本実施形態に係る押圧装置の第２変形例を示す。
【図１２】本実施形態に係る押圧装置の第３変形例を示す。
【図１３】本実施形態に係る押圧装置の第４変形例を示す。
【図１４】本実施形態に係る閉鎖装置の押圧装置に関する別の実施例を示した、防火戸の上部を表した図２と同様な図である。
【図１５】本実施形態に係る閉鎖装置の押圧装置に関する別の実施例を示した、防火戸の上部を表した図２と同様な図である。
【図１６】本実施形態に係る閉鎖装置の押圧装置に関する別の実施例を示した、防火戸の上部を表した図２と同様な図である。
【図１７】本実施形態に係る調速装置の変形例を示す。
【図１８】本実施形態に係る押圧装置の別の実施例を示す。
【図１９】本実施形態に係る戸車及び引き戸の連結構造の変形例を示す。
【符号の説明】
【００４９】
１  閉鎖装置
４  戸枠
１２  第１の上枠
１４  第２の上枠
１６  防火戸（引き戸）
１８  押圧手段
２４  戸車
２６  戸車の取付けブラケット（取付け具）
２８  引き戸への取付けブラケット（取付け具）
３０  調速手段
３１  回転クランクレバー本体
３２  クランクレバー（てこ部材）
３４  第１のアーム
３６  第２のアーム
３７  長棹
３９  短棹
４２  引張りばね（付勢手段）
４４  転向用ブラケット（転向用部材）
４６  押圧用ブラケット（押圧用部材）
５２  ワンウエイクラッチ（一方向運動伝達手段）
５６  発電機
６２  可変抵抗器（抵抗値変更手段）
６４  第１の可変抵抗
６６  第２の可変抵抗
７２  スイッチ切替部
８０  クランクレバー
８６  クランクレバー
８８  連結板（連結部材）
８９  ローラ
９４  クランクレバー
９６  押圧板（回転体支持部材）
９８  ローラ
１０６  押圧ガイド
１０８  押圧ローラ
Ｏ  回転軸線
Ｏ'  回転軸線
Ｏ” 回転軸線
Ｐ１  力点
Ｐ２  作用点
Ｌ１  第１のアームの長さ
Ｌ２  第２のアームの長さ
【図１】
0004583419.tif 000002
【図２】
0004583419.tif 000003
【図３】
0004583419.tif 000004
【図４】
0004583419.tif 000005
【図５】
0004583419.tif 000006
【図６】
0004583419.tif 000007
【図７】
0004583419.tif 000008
【図８】
0004583419.tif 000009
【図９】
0004583419.tif 000010
【図１０】
0004583419.tif 000011
【図１１】
0004583419.tif 000012
【図１２】
0004583419.tif 000013
【図１３】
0004583419.tif 000014
【図１４】
0004583419.tif 000015
【図１５】
0004583419.tif 000016
【図１６】
0004583419.tif 000017
【図１７】
0004583419.tif 000018
【図１８】
0004583419.tif 000019
【図１９】
0004583419.tif 000020